(57)【要約】【課題】簡単に組み立てられ、コンパクトに折りたため、断面と接続面が隠れたディスプレイパネル。【解決手段】板紙や段ボールなどの平面シートに罫線を入れ、ゴムなどの伸び縮む素材を取り付け折り曲げた支柱部の貼り合わせ部１をパネル１１本体に取り付ける。二枚のパネル１１を広げると設置されたゴム９が縮み２と３と４の面によって三角柱が自動的に形成される。パネル１１のはみ出し部分１２が折り込まれるように貼り合わすとパネルの断面が隠れる。【選択図】　　　　図６
2004045577.tif 000002
【特許請求の範囲】
【請求項１】
折りたたまれた支柱部が広げられると、設置されたゴムが縮まり平面からなる支柱が形成されることを特徴とするディスプレイスタンド。
【請求項２】
二つに折られたパネルのつなぎ目の断面が印刷面で覆われたことを特徴とするディスプレイ。
【請求項３】
二つに折られたパネルに取り付けられた折りたたまれた支柱部が広げられると、設置されたゴムが縮まり平面からなる支柱が形成されパネルが一枚になることを特徴とするディスプレイ。
【発明の詳細な説明】
【０００１】
【発明が属する技術分野】
本発明は、組み立ての容易なディスプレイに関するものである。
【０００２】
【従来の技術】
ディスプレイパネルのサイズの大きなものは二つに折られて梱包されていて、店頭で組み立てられ飾られている。しかしながら、構造上組み立て方が複雑になっていた。また簡単な組み立て方にすると、全体のサイズが大きくなる問題があった。パネルに紙スタンドを取り付けるなどして、パネル単体で自立させるのは困難であった。またパネルをつなぎ合わせる際の接続部および断面の処理がデザインを損ねていた。
【０００３】
【発明が解決しようとする課題】
解決しようとする問題点は、ワンタッチで支柱を作成できない点である。また組み立て完成した際のパーツや断面が見えてデザインを損ねる点である。
【０００４】
【課題を解決するための手段】
本発明は、板紙や段ボールなどの平面シートを輪ゴムなどの伸び縮む素材を用いて容易に折り曲げて支柱を作成することを最も主要な特徴とする。また完成した際のデザインを考慮した製造方法。
【０００５】
【発明の実施の形態】
ワンタッチで組み立て完成し、パネル単体でで自立し、パネル全面をディスプレイ表示するという目的を、最小の部品点数で、支柱を構成し製品の厚みを増やさずに実現した。請求項１を図を用いて説明する。
【０００６】
図１は、本発明装置の支柱本体の展開平面図であって、１は貼り合わせ部、８はゴム取り付け部である。５と６と７は罫線を入れる。なお以下において１は貼り合わせ部であるが、面２やその他の面を貼り合わせ部に構成してもよい。
【０００７】
図２は、図１のゴム取り付け部８にゴム９を通した平面図であって、支柱面４が７の罫線によって約１８０度折り曲げられている。
【０００８】
図３は、図２を５の罫線で内側に折り曲げた平面図である。ゴム９が伸びた状態で収まっている。
【０００９】
図３を図２の状態に広げようとするとその行為の途中からゴム９が縮まろうとする力で自動的に変形する。　図４はゴム９が縮まることにより２と３と４の面によって三角柱が形成された平面図である。図２のゴムを取り付けた状態でそのまま手を離してもゴム９が縮まり図４に変形する。コンパクトに平面状にする場合は、罫線７を外に持っていくように力を加えて広げ図２の状態にしてから罫線５を折り曲げると図３の形状になりゴムが伸びた状態のままで安定する。
【００１０】
図５は、図４の側面図である。ゴム９の力と罫線６と７の折り曲げた状態から戻ろうとする力が２と３と４の面によって三角柱が形成された状態で安定する。
【００１１】
二枚のパネルの天部が接続され、内部に支柱部１４が設置され貼り合わせ部１がパネル１１に接着されている。二枚のパネルを開くと支柱部は図３から図４の形状に自動的に組み立てられ、ゴム９の力で支柱面３と４が立ち上がり三角の柱が二本できる。形が安定し固定されて図６のＡ式スタンドが出来上がる。
【００１２】
図７は、三角柱が一つ形成されるタイプの平面図である。
【００１３】
図８は、サイズの小さな物や強度の必要ないものなどに使用するタイプの平面図である。Ｌ字柱が二つ形成される。ゴムの数を少なくして作成できる。
【００１４】
図９は、図８の側面図である。Ｌ字柱が二つ形成される。ゴムの力と罫線６の戻ろうとする力はこの形状で安定する。
【００１５】
図１０は、図９のＬ字柱が一つ形成されるタイプの平面図である。スペースがなくて強度が必要な場合に適している。反対側にもう一つＬ字柱を取り付けて、Ｌ字柱が二つ形成されるタイプも製作できる。
【００１６】
請求項２を図を用いて説明する。図１１において芯材に印刷紙などを貼り付ける際、パネル１１よりも印刷紙のはみ出し部１２が出るように貼る。
【００１７】
図１２においてパネル二枚をそのはみ出し部１２のパネルの厚みの分だけ控えた部分に両面テープ１３や糊などでパネル同士を貼り付ける。どちらか一方のパネルを両面テープ１３を中心に約３６０度曲げる。すると図１３において両面テープ１３がパネルの内側に隠れる。パネルの断面をはみ出した部分１２で覆っている状態になる。内部に支柱部１４が設置されパネルを広げると図６のＡ式スタンドが出来上がる。
【００１８】
請求項３を図を用いて説明する。図１４において二枚のパネル１１の一辺に支柱部１４が取り付けられている。
【００１９】
二枚のパネルを支柱部１４を中心に約１８０度に平げる。図１５はパネルが広げられた際にゴムが縮まり三角柱が形成された平面図である。面２がパネル１１と貼り合わされている。二つに折られたパネルが広げられると、自動的に三角柱が形成され固定安定した一枚のつなぎ合わされたパネルになる。
【００２０】
【発明の効果】
以上説明したように本発明のディスプレイスタンドは、折りたたまれた状態のパネルを組み立てようと広げると、あらかじめ設置されたゴムが縮まり自動的に支柱が構成される。構成された支柱は固定されディスプレイスタンドが組み立てられた状態になる。このため複雑な組み立てをすることなくワンタッチでディスプレイスタンドを作る事ができる。サイズが小さくなるので梱包費や発送費用がおさえられる。また支柱部分は平面状から立体の柱を簡単に作成することが不可欠な用途にも適用できる。
【００２１】
またＡ式スタンドの天部であるパネルのつなぎ目は人目に触れやすいので、パネルの断面が隠れるように製造することによりデザインを損ねることがなく飾ることができる。
【図面の簡単な説明】
【図１】支柱部の平面図である。
【図２】支柱部にゴムを設置した平面図である。
【図３】図２を５の罫線で内側に折り曲げた平面図である。
【図４】支柱部のゴムが縮んだ平面図である。
【図５】図４の側面図である。
【図６】Ａ式スタンドの斜視図である。
【図７】三角柱が一つのタイプの支柱部の平面図である。
【図８】Ｌ字柱が二つのタイプの支柱部の平面図である。
【図９】図８の側面図である。
【図１０】Ｌ字柱が一つのタイプの支柱部の平面図である。
【図１１】パネルの側面図である。
【図１２】パネル二枚の側面図である。
【図１３】折りたたんだＡ式スタンドの側面図である。
【図１４】パネル二枚と継ぎ目に設置された支柱部の側面図である。
【図１５】一枚のつなぎ合わされたパネルと組み立てられた支柱部の平面図。
【符号の説明】
１　　貼り合わせ部
２　　面
３　　支柱面
４　　支柱面
５　　罫線
６　　罫線
７　　罫線
８　　ゴム取り付け部
９　　ゴム
１０　　支柱面
１１　　パネル
１２　　はみ出し部
１３　　両面テープ
１４　　支柱全体部
【図１】
2004045577.tif 000003
【図２】
2004045577.tif 000004
【図３】
2004045577.tif 000005
【図４】
2004045577.tif 000006
【図５】
2004045577.tif 000007
【図６】
2004045577.tif 000008
【図７】
2004045577.tif 000009
【図８】
2004045577.tif 000010
【図９】
2004045577.tif 000011
【図１０】
2004045577.tif 000012
【図１１】
2004045577.tif 000013
【図１２】
2004045577.tif 000014
【図１３】
2004045577.tif 000015
【図１４】
2004045577.tif 000016
【図１５】
2004045577.tif 000017